【手続補正書】
【提出日】令和1年6月19日(2019.6.19)
【手続補正１】
【補正対象書類名】特許請求の範囲
【補正対象項目名】全文
【補正方法】変更
【補正の内容】
【特許請求の範囲】
【請求項１】
外部装置と無線通信を行う通信装置であって、
前記外部装置の操作に関する所定の画面を表示するよう表示手段を制御する表示制御手段と、
前記外部装置とのネットワークが形成されていない間に、前記外部装置から送信される無線信号を検出する検出手段と、を有し、
前記検出手段により検出された無線信号に特定の情報の情報が含まれる場合、前記表示制御手段は、前記特定の情報に対応するヘルプ画面を、前記外部装置とのネットワークが形成されていない間に表示するよう前記表示手段を制御することを特徴とする通信装置。
【請求項２】
前記検出手段により検出された無線信号に含まれる特定の情報の内容に応じて、前記表示制御手段は、前記ヘルプ画面を更新するよう前記表示手段を制御することを特徴とする請求項１に記載の通信装置。
【請求項３】
前記特定の情報は、前記外部装置における操作の種別または操作の状態の情報を含み、
前記表示制御手段は、前記外部装置における前記操作の種別または操作の状態の情報に応じて前記ヘルプ画面を更新するよう前記表示手段を制御することを特徴とする請求項２に記載の通信装置。
【請求項４】
前記特定の情報は、過去に接続したことがある外部装置との接続設定に関する情報を含み、
前記検出手段により検出された無線信号に基づき複数の外部装置が存在する場合、前記表示制御手段は、前記接続設定に関する情報に基づいて前記複数の外部装置の情報を表示するよう前記表示手段を制御することを特徴とする請求項１から３のいずれか１項に記載の通信装置。
【請求項５】
前記特定の情報から、前記外部装置の電源がオンされているか否かを判定する判定手段をさらに有し、
前記判定手段により前記外部装置の電源がオンされていないと判定された場合、前記表示制御手段は、前記特定の情報に対応するヘルプ画面を表示しないよう制御することを特徴とする請求項１から４のいずれか１項に記載の通信装置。
【請求項６】
前記特定の情報に対応するヘルプ画面を保存していない場合、当該ヘルプ画面の情報を他の装置から取得する取得手段をさらに有し、
前記表示制御手段は、前記取得手段により取得された情報に基づき、前記特定の情報に対応するヘルプ画面を表示するよう前記表示手段を制御することを特徴とする請求項１から５のいずれか１項に記載の通信装置。
【請求項７】
前記無線通信は、Ｂｌｕｅｔｏｏｔｈ（登録商標）に基づく通信であり、
前記検出手段は、前記無線信号としてのアドバタイズ信号を検出し、
前記表示制御手段は、前記検出手段により検出されたアドバタイズ信号に含まれる特定の情報に応じて前記ヘルプ画面を更新するよう前記表示手段を制御することを特徴とする請求項２または３に記載の通信装置。
【請求項８】
前記通信装置はスマートフォンであることを特徴とする請求項１から７のいずれか１項に記載の通信装置。
【請求項９】
外部装置と無線通信を行う通信装置であって、
前記外部装置の操作に関する所定の画面を表示する表示制御手段と、
前記外部装置とのネットワークが形成されていない間に、前記外部装置から送信される無線信号を検出する検出手段と、を有し、
前記検出手段により検出された無線信号に特定の情報が含まれる場合、前記表示制御手段は、前記特定の情報に対応する所定の画面を、前記外部装置とのネットワークが形成されていない間に表示するよう制御し、
前記特定の情報に対応する所定の画面は、前記通信装置と前記外部装置との通信とは関連のない操作に関するものを含むことを特徴とする通信装置。
【請求項１０】
前記検出手段により検出された無線信号に含まれる特定の情報の内容に応じて、前記表示制御手段は前記所定の画面を更新するよう制御することを特徴とする請求項９に記載の通信装置。
【請求項１１】
前記特定の情報は、前記外部装置における操作の種別または操作の状態の情報を含み、
前記表示制御手段は、前記外部装置における前記操作の種別または操作の状態の情報に応じて前記所定の画面を更新するよう制御することを特徴とする請求項１０に記載の通信装置。
【請求項１２】
前記特定の情報は、過去に接続したことがある外部装置との接続設定に関する情報を含み、
前記検出手段により検出された無線信号に基づき複数の外部装置が存在する場合、前記表示制御手段は、前記接続設定に関する情報に基づいて前記複数の外部装置の情報を表示するよう制御することを特徴とする請求項９から１１のいずれか１項に記載の通信装置。
【請求項１３】
前記特定の情報から、前記外部装置の電源がオンされているか否かを判定する判定手段をさらに有し、
前記判定手段により前記外部装置の電源がオンされていないと判定された場合、前記表示制御手段は、前記特定の情報に対応する所定の画面を表示しないよう制御することを特徴とする請求項９から１２のいずれか１項に記載の通信装置。
【請求項１４】
前記特定の情報に対応する所定の画面を保存していない場合、当該所定の画面の情報を他の装置から取得する取得手段をさらに有し、
前記表示制御手段は、前記取得手段により取得された情報に基づき、前記特定の情報に対応する所定の画面を表示するよう制御することを特徴とする請求項９から１３のいずれか１項に記載の通信装置。
【請求項１５】
前記無線通信は、Ｂｌｕｅｔｏｏｔｈ（登録商標）に基づく通信であり、
前記検出手段は、前記無線信号としてのアドバタイズ信号を検出し、
前記表示制御手段は、前記検出手段により検出されたアドバタイズ信号に含まれる特定の情報に応じて前記所定の画面を更新するよう制御することを特徴とする請求項１０または１１に記載の通信装置。
【請求項１６】
所定の範囲内に存在する外部装置と無線通信を行う通信装置であって、
前記通信装置を操作するための操作手段と、
前記外部装置とのネットワークが形成されていない間に、前記外部装置に前記通信装置の存在を通知するため、前記外部装置における操作の種別または操作の状態を示す操作情報を含む無線信号を送信する送信手段と、
前記操作手段が操作された場合に、前記無線信号に含まれる操作情報を更新する更新手段と、
前記更新手段により前記操作情報が更新された無線信号を送信するよう前記送信手段を制御する制御手段と、を有することを特徴とする通信装置。
【請求項１７】
外部装置と無線通信を行い、前記外部装置の操作に関する所定の画面を表示するよう制御する通信装置の制御方法であって、
前記外部装置とのネットワークが形成されていない間に、前記外部装置から送信される無線信号を検出するステップと、
前記検出された無線信号に特定の情報の情報が含まれる場合、前記特定の情報に対応するヘルプ画面を、前記外部装置とのネットワークが形成されていない間に表示するよう制御するステップと、を有することを特徴とする制御方法。
【請求項１８】
外部装置と無線通信を行い、前記外部装置の操作に関する所定の画面を表示するよう制御する通信装置の制御方法であって、
前記外部装置とのネットワークが形成されていない間に、前記外部装置から送信される無線信号を検出するステップと、
前記検出された無線信号に特定の情報が含まれる場合、前記特定の情報に対応する所定の画面を、前記外部装置とのネットワークを形成されていない間に表示するよう制御するステップと、を有し、
前記特定の情報に対応する所定の画面は、前記通信装置と前記外部装置との通信とは関連のない操作に関するものを含むことを特徴とする制御方法。
【請求項１９】
コンピュータを、請求項１から１６のいずれか１項に記載された通信装置の各手段として機能させるためのプログラム。
【請求項２０】
コンピュータを、請求項１から１６のいずれか１項に記載された通信装置の各手段として機能させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】通信装置およびその制御方法、プログラム並びに記憶媒体
【手続補正３】
【補正対象書類名】明細書
【補正対象項目名】０００７
【補正方法】変更
【補正の内容】
【０００７】
上記課題を解決し、目的を達成するために、本発明の通信装置は、外部装置と無線通信を行う通信装置であって、前記外部装置の操作に関する所定の画面を表示するよう表示手段を制御する表示制御手段と、前記外部装置とのネットワークが形成されていない間に、前記外部装置から送信される無線信号を検出する検出手段と、を有し、前記検出手段により検出された無線信号に特定の情報の情報が含まれる場合、前記表示制御手段は、前記特定の情報に対応するヘルプ画面を、前記外部装置とのネットワークが形成されていない間に表示するよう前記表示手段を制御する。
【手続補正４】
【補正対象書類名】図面
【補正対象項目名】図７
【補正方法】変更
【補正の内容】
【図７】
2018006997.tif 000001